(57)【特許請求の範囲】
【請求項１】
軸受け部と、該軸受け部に回転自在に軸支された操作軸と、該操作軸に取り付けられて平坦部と凹凸部とを有する回転体と、該回転体に弾性付勢する前記軸受け部側に取り付けた弾性部材とを備えて、前記凹凸部は、前記平坦部の外径より大きな外径で形成し、前記弾性部材には、クリック用アーム部と回転トルク用湾曲部とを形成し、前記クリック用アーム部が前記回転体の凹凸部に弾性付勢し、前記回転トルク用湾曲部が前記回転体の平坦部に弾性付勢し、前記回転体の平坦部を前記回転トルク用湾曲部を介し前記軸受け部に積層して、前記弾性部材の前記回転トルク用湾曲部を前記軸受け部と回転体の平坦部との間に弾接挟持して操作軸に回転トルクを生じさせることを特徴とした回転型電気部品。    
【請求項２】
前記回転体は、前記凹凸部から前記平坦部を突出させて形成したことを特徴とする請求項１記載の回転型電気部品。
【請求項３】
前記回転体は、回転体当接部材により当接されて、前記弾性部材の回転トルク用湾曲部を前記軸受け部に弾性付勢して操作軸に回転トルクを生じさせることを特徴とした請求項１記載の回転型電気部品。
【発明の詳細な説明】
【０００１】
【発明の属する技術分野】
本発明は、回転型電気部品のクリック機構に関し、クリック感と回転トルクとを同一部材で生じさせることができる技術に関する。
【０００２】
【従来の技術】
従来の回転型電気部品を図７〜図１１を基に説明する。まず、図７に示すように操作軸１は、回転中心に金属製の操作軸１が配置されている。そして、この操作軸１は摘み部１ａと、該摘み部１ａに連設して摘み部１ａより外径の大きい鍔部１ｂを形成し、該鍔部１ｂをはさんで摘み部１ａの反対側には、前記摘み部１ａより外径の小さい嵌合部１ｃと、該嵌合部１ｃの先端側にはスリ落とし部１ｄを形成している。
また、前記操作軸１を回転自在に軸支する軸受け２は、亜鉛ダイカスト等から成り、図７に示すように中心部に操作軸１を軸支する軸孔２ａと、該軸孔２ａと同心円状の凹部２ｂと、この凹部２ｂの底面上には、複数個の突出部２ｃと谷部２ｄとを放射状に形成している。
また、軸孔２ａを構成するために軸受け２の外部にはボス部２ｅを突出形成して、内部には環状突堤２ｆを形成している。
【０００３】
また、前記軸受け２は、一対の絶縁基板４、４’が取り付けられた金属製のカバー５の取付脚（図示せず）を、この軸受け２の取付孔（図示せず）に挿入して、カシメ等により取り付けている。
また、前記一対の絶縁基板４、４’の間には操作軸１と共に回転する、絶縁材料から成る摺動子受け６を、図７に示すように、操作軸１のスリ落とし部１ｄに挿入して、スリ落とし部１ｄの先端をカシメにより取り付けている。
また、摺動子受け６の外周側の一部にストッパ用突起６ａを配置して、該ストッパ用突起６ａがカバー５の切り起こし突片５ａに当接して操作軸１の回転角度を規制することができるようになっている。
また、前記摺動子受け６の上面と下面とには、一対の摺動子７、７’が固着され、前記絶縁基板上４、４’上に形成されている抵抗体９、９に摺接され、該摺動子７、７’同一形状のものを使用している。
【０００４】
また、軸受け２の環状突堤２ｆと摺動子受け６との間には、操作軸１のスリ落とし部１ｄの根元部分に圧入して、操作軸１の回転にあわせて回転する板バネ８を配置している。
この板バネ８は板状のバネ材料からなり、図８・図９に示すように外形が略Ｄ状に形成して、円弧状のクリック用アーム８ａと、小判形状の基部８ｄと、前記クリック用アーム８ａの根元部分と基部８ｄとを連結する２つの連結部８ｆ・８ｆとからなっている。
また、前記クリック用アーム８ａは、図９に示すように、根元部分の前記連結部８ｆとの接続部分に折り曲げ線８ｊを形成して、該折り曲げ線８ｊから斜め下方に折り曲げている。
また、前記クリック用アーム８ａと基部８ｄとの間にはスリット８ｃが形成されて、該スリット８ｃを挟んだ位置の基部８ｄの中央部には、小判形状の軸孔８ｅを形成して、該軸孔８ｅに操作軸１のスリ落とし部１ｄに圧入されて取り付けられている。
そして、このクリック用アーム８ａの円弧状先端の中央部には絞り加工等によって凸部８ｂを一方側の下方に突出形成している。そして、この凸部８ｂが前記軸受け２の凹部２ｂの谷部２ｄに係合して操作軸１にクリック感を得ることができるようになっている。
また、絶縁基板４、４’の端部には摺動子７の回転によって変化する抵抗値等を外部に導出する端子１０、１０が配置されている。
また、操作軸１の鍔部１ｂと軸受け２のボス部２ｅ先端との間には、図１０に示すようなリン青銅条等から成る、軸孔１１ａを有するウエーブ状のバネワッシャ１１を狭持している。
そして、操作軸１を回転させると、前記ウエーブ状のバネワッシャ１１が操作軸１の鍔部１ｂと軸受け２との間で摩擦して、この摩擦抵抗により操作軸１に所定の回転トルクを得ることができるようになっている。
【０００５】
前述したような構成の従来の回転型電子部品の組立は、操作軸１の摘み部１ａを図示しない組立治具に保持して、操作軸１を直立させて取り付ける。
そして該操作軸１のスリ落とし部１ｄの先端から、バネワッシャ１１を挿入して、鍔部１ｂ上に位置させる。
次に、操作軸１のスリ落とし部１ｄの先端から軸受け２の軸孔２ａを挿入して、軸受け２を操作軸１の嵌合部１ｃに嵌合させる。
次に、操作軸１のスリ落とし部１ｄに板バネ８の小判形状の軸孔８ｅを位置合わせして、前記組立治具で軸受け２の環状突堤２ｆにぶつかるまで、前記板バネ８を圧入する。
すると、板バネ８のクリック用アーム８ａの凸部８ｂが、図１１に示すように軸受け２の凹部２ｂの谷部２ｄに係合する。
【０００６】
次に、図７に示す下側の基板１０を組み込み、その後、事前に別工程で準備している、摺動子７・７’を取り付けた摺動子受け６の軸孔６ｃを、操作軸１のスリ落とし部１ｄに位置合わせして挿入する。
すると、操作軸１のスリ落とし部１ｄに圧入止めされている板バネ８の基部８ｄに摺動子受け６の一端が当接する。
【０００７】
次に、前記組立治具で摺動子受け６を下方に押圧して、前記組立治具のカシメポンチ（図示せず）で操作軸１のスリ落とし部１ｄ先端をハンドプレス等でカシメ付ける。
そして、次にカバー５の下側の取付脚（図示せず）を、下側の基板１０、軸受け２の取付孔（図示せず）挿通するよう載置し、その後、カバー５の取付脚（図示せず）に上側の基板１０を載置し、前記組立治具とは別のカシメ治具で、カバー５の下側の取付脚を軸受け２にカシメ付けるとともに、上側の取付脚を上側の基板１０にカシメ付けて、従来の回転型電気部品の組立が終了する。
【０００８】
前述のような手順で組み立てられた従来の回転型電気部品は、操作軸１を回転させると、板バネ８のクリック用アーム８ａの凸部８ｂが、軸受け２の凹部２ｂ内の突出部２ｃと谷部２ｄとを弾接移動して、操作軸１に所定のクリック感を得ることができる。
また、ウエーブ状のバネワッシャ１１の弾性力で操作軸１の鍔部１ｂと軸受け２との間に摩擦抵抗が生じて、操作軸１に所定の回転トルクを得ることができる。
【０００９】
【発明が解決しようとする課題】
しかし、前述したような従来の回転型電気部品は、クリック感を得るための板バネ８と、回転トルクを得るためのバネワッシャ１１とが、それぞれ別になっていたため、部品点数が多く、そのために組立に時間が掛かり、従来の回転型電気部品がコストアップになっていた。
【００１０】
また、前記従来の回転型電気部品の板バネ８は、板状のバネ材料からなっているために、板バネ８を操作軸１の小判形状のスリ落とし部１ｄに圧入して取り付ける際にいたバネ８とスリ落とし部１ｄの嵌合代が短いため、ガタなく圧入しようとすると基部８ｄが変形し、摺動子受け６の取付位置が変わるという問題があった。
【００１１】
【課題を解決するための手段】
前記課題を解決するための第１の手段として本発明の回転型電気部品は、軸受け部と、該軸受け部に回転自在に軸支された操作軸と、該操作軸に取り付けられて平坦部と凹凸部とを有する回転体と、該回転体に弾性付勢する前記軸受け部側に取り付けた弾性部材とを備えて、前記凹凸部は、前記平坦部の外径より大きな外径で形成し、前記弾性部材には、クリック用アーム部と回転トルク用湾曲部とを形成し、前記クリック用アーム部が前記回転体の凹凸部に弾性付勢し、前記回転トルク用湾曲部が前記回転体の平坦部に弾性付勢し、前記回転体の平坦部を前記回転トルク用湾曲部を介し前記軸受け部に積層して、前記弾性部材の前記回転トルク用湾曲部を前記軸受け部と回転体の平坦部との間に弾接挟持して操作軸に回転トルクを生じさせる構成とした。
【００１２】
また、前記課題を解決するための第２の手段として、前記回転体は、前記凹凸部から前記平坦部を突出させて形成した構成とした。
【００１３】
また、前記課題を解決するための第３の手段として、前記回転体は、回転体当接部材により当接されて、前記弾性部材の回転トルク用湾曲部を前記軸受け部に弾性付勢して操作軸に回転トルクを生じさせる構成とした。
【００１４】
【発明の実施の形態】
本発明の１実施の形態の回転型電気部品を図１〜図６に示すような可変抵抗器で説明する。まず、図１の要部組立断面図に示すように、その回転中心には、アルミ等の金属からなる操作軸２１が配置されている。
この操作軸２１は、摘み部２１ａと、該摘み部２１ａに連設して摘み部２１ａの外径寸法より大きい鍔部２１ｂと、該鍔部２１ｂをはさんで前記摘み部２１ａの反対側には、後述する軸受け部２２が嵌合する円形の嵌合部２１ｃと、該嵌合部２１ｃの先端側には小判形状のスリ落とし部２１ｄと、該スリ落とし部２１ｄの先端に軸細のガイド部２１ｅとが形成されている。また、該ガイド部２１ｅと前記スリ落とし部２１ｄ先端とが交わる部分には平坦な段部２１ｆが形成されている。
【００１５】
また、本発明の回転型電気部品には、前記操作軸２１を回転自在に軸支する軸受け部２２が形成されて、この軸受け部２２には後述するクリック感および回転トルクを生じさせるための部材を収納する筺体２３が一体に形成されている。
そして、前記軸受け部２２と筺体２３とは、亜鉛ダイカスト等により一体に形成されて、図２（Ａ）の正面図、図２（Ｂ）の側面図に示すように、中心部に軸孔２２ａが形成されたボス部２２ｂが配置されて、該ボス部２２ｂは、外形が略矩形の筺体２３の底板２３ｂの略中央部から前方に突出して形成されている。
また、前記底板２３ｂの外周には所定の高さの側壁２３ａが形成されて、筺体２３の外周を遮蔽するようになっている。
そして、この筺体２３は、後方側が開放されて前記底板２３ｂが、開放された後方から見えるようになっている。
また、図２（Ａ）に示すように、前記底板２３ｂの下方側の両側で、左右の側壁２３ａに近い位置に、図１に示すような先端が幅広で鍔状になったＴ状の角形突起２３ｃ・２３ｃが開放内部に突出形成されている。
また、図１に示すように、前記角形突起２３ｃの根元部分には、ダイカスト成形加工で前記先端の鍔状部を形成するための角孔２３ｊ・２３ｊがそれぞれ形成されている。
また、前記２つの角形突起２３ｃの間には、径の小さな丸突起２３ｈ・２３ｈが前記底板２３ｂから開放内部に突出形成されている。
【００１６】
また、図２（Ａ）に示すように、前記前記底板２３ｂの角形突起２３ｃが形成されている位置と反対側で、軸孔２２ａの上方には、所定の幅と、厚さと、高さのストッパ部２３ｄが突出形成されている。
また、前記側壁２３ａの上面の４隅には円形のスペーサ取付突起２３ｅが、それぞれ突出形成されている。
また図２（Ａ）に示す左右の側壁２３ａの外面には、それぞれ２個のガイド溝２３ｆが形成されて、後述する取付板３０の取付脚３０ａが位置決めされるようになっている。
また、図２（Ｂ）に示すように、前記それぞれのガイド溝２３ｆの途中には、小さい矩形の突起２３ｋが溝幅方向に突出して形成されている。
また、前記ガイド溝２３ｆに連設する底板２３ｂの前面には段部２３ｇが形成されて、該段部２３ｇに後述する取付板３０の取付脚３０ａの先端をカシメ付けるようになっている。
【００１７】
また、前記筺体２３の底板２３ｂに取り付けられた弾性部材２４は、リン青銅条等の弾性を有する材料から成り、前記筺体２３の角形突起２３ｃと丸突起２３ｈとに圧入およびカシメ等により取り付けられている。
そして、該弾性部材２４は、図３（Ａ）の正面図、図３（Ｂ）の側面図に示すように、平坦状の基部２４ａが、中央部に折り曲げ加工により形成された略半円形状の凸部２４ｍをはさんで、左右両側に形成されている。
【００１８】
また、該基部２４ａの両端には、該基部２４ａから斜め上方に延びて先端部に折り曲げ加工によって形成された略半円形状の凸部２４ｊを有し、その外形がＵ状のクリック用アーム部２４ｂが延設して形成され、該クリック用アーム部２４ｂのＵ状の内側の空隙部２４ｃに、前記基部２４ａの一方側に連結されたリング状の回転トルク用湾曲部２４ｋを有するバネワッシャ２４ｄとが形成され、前記基部２４ａ、アーム部２４ｂ、バネワッシャ２４ｄとで弾性部材２４が構成されている。
【００１９】
そして、図３（Ａ）に示すように、前記基部２４ａの左右２箇所に角孔２４ｅ・２４ｅが形成されて、該角孔２４ｅを形成する相対向する２辺には舌片２４ｆ・２４ｆが図３（Ｂ）に示すように、基部２４ａを切り起こし加工して、先端に行くほど寸法が狭くなるハ状に形成されている。
また、前記２つの角孔２４ｅ・２４ｅの間には、小さい径の丸孔２４ｇ・２４ｇが形成されている。
そして、前記筺体２３の角形突起２３ｃ先端の鍔状部に角孔２４ｅの舌片２４ｆ・２４ｆが圧入され、丸突起２３ｈが丸孔２４ｇに挿入されて、丸突起２３ｈの先端をカシメて弾性部材２４が筺体２３に取り付けられている。
【００２０】
また、前記クリック用アーム部２４ｂは、前記基部２４ａの折り曲げ線２４ｈから斜めに所定の角度で折り曲げられて、前記凸部２４ｊは前記クリック用アーム２４ｂの折り曲げ方向と同方向に突出形成されている。
また、前記基部２４ａに連結されたバネワッシャ２４ｄは、内部に孔２４ｎを有するリング状に形成されて、その左右には前記クリック用アーム部２４ｂと同方向の斜めに湾曲形成された回転トルク用湾曲部２４ｋ・２４ｋが形成されている。
また、クリック用アーム部部２４ｂ先端の凸部２４ｊに押圧荷重が加わると、図３（Ｂ）の破線に示すような状態で撓むことができるようになっている。
【００２１】
また、回転体２５は図４・図６に示すように、樹脂材料等で円盤状に形成されて、外径の大きい円形部２５ａと外径の小さいボス部２５ｂとからなっている。
そして、該ボス部２５ｂは前記円形部２５ａの中央部下面に突出形成されて、このボス部２５ｂの中心部には、前記操作軸２１のスリ落とし部２１ｄが嵌合できる形状の小判形状の軸孔２５ｃが貫通して形成されている。
また、ボス部２５ｂの下面は、平坦部２５ｄと突出部２５ｊとで２段に形成されており、該突出部２５ｊは前記弾性部材２４のワッシャ２４ｄの孔２４ｎが位置するようになっている。
【００２２】
また、図６に示すように、円形部２５ａの下面の外周側の略半周部分には、複数の山形の凹凸から成る凹凸部２５ｅが形成されている。また、該凹凸部２５ｅが形成されていない半周部分側には、前記ボス部２５ｂに接して突出形成されたストッパ２５ｆが配置されている。
即ち、前記凹凸部２５ｅは、前記平坦部２５ｄ外径より大きな外径で形成し、前記凹凸部２５ｅから平坦部２５ｄを突出させて形成されている。
また、前記操作軸２１のスリ落とし部２１ｄに、回転体２５の軸孔２５ｃが挿入されて、前記操作軸２１が回転すると前記回転体２５が回転して、この回転体２５のストッパ２５ｆが、前記筺体２３のストッパ部２３ｄに当接して、回転体２５の回転角度が規制されるようになっている。
また、前記回転体２５の円形部２５ａ上面には、摺動子片２６が熱カシメ等で固着されている。
そして、前記スリ落とし部２１ｄ先端の段部２１ｆがカシメられて、前記筺体２３の開放内部で操作軸２１と回転体２５とが抜け止めされて一体化されている。
【００２３】
また、図１に示すように、前記摺動子片２６が固着された回転体２５の上方には、樹脂材料等からなる板状の回転体当接部材であるスペーサ２７が、前記筺体２３の側壁２３ａのスペーサ取付突起２３ｅに挿入されて仮止めされている。
そして、前記スペーサ２７は、図５（Ａ）の正面図、図５（Ｂ）の側面図に示すように、外形が略矩形に形成されて、その中央部に前記摺動子片２６を挿通する円形の大きめの孔２７ａが形成されて、該孔２７ａの周囲には、後述する抵抗体基板２８を位置決めして仮止めする段部２７ｂと２個のフック部２７ｃとが形成されている。
そして、該２個のフック部２７ｃは、前記孔２７ａの円周上の対向する位置に突出形成されて、その先端が鈎状になっている。
また、図５（Ａ）に示すスペーサ２７の左右の側面には、後述する取付板３０の取付脚３０ａを案内するガイド溝２７ｄがそれぞれ形成されている。
また、前記段部２７ｂおよびフック部２７ｃとが形成されている反対側の面には、外形が円形で平坦な段部２７ｆが突出して形成されている。そして、本発明の回転型電気部品に回転体押圧部材である前記スペーサ２７を組み込むと、該スペーサ２７の段部２７ｆが、前記回転体２５の摺動子片２６が固着されている側の円形部２５ａの外周寄りと当接するようになっている。
また、前記スペーサ２７の４つのコーナ部には円形の突起２７ｅが所定の高さでそれぞれ形成されている。
【００２４】
また、前記スペーサ２７の段部２７ｂには、フェノール樹脂等からなる抵抗体基板２８が前記スペーサ２７のフック部２７ｃ・２７ｃに仮止めされて取り付けられている。
また、前記抵抗体基板２８は一方側の面に、図６の分解斜視図に示すような抵抗体パターン２８ａが印刷等で形成されて、該抵抗体パターン２８ａに前記摺動子片２６が弾接して摺動するようになっている。また、抵抗体基板２８の端部には金属等からなる複数の端子２９がカシメ付けられている。
また、前記抵抗体基板２８を仮止めしたスペーサ２７の上方から、鉄板等からなる取付板３０がかぶせられて、該取付板３０に形成されている４本の取付脚３０ａを、前記筺体２３の前面の段部２３ｇに折り曲げ等でカシメ付けられて、本発明の回転型電気部品は構成されている。
【００２５】
前述のような構成の本発明の回転型電気部品の組立を図６の分解斜視図を基に説明する。
まず、筺体２３の底板２３ｂに突出形成されている角形突起２３ｃに、弾性部材２４の舌片２４ｆを有する角孔２４ｅを圧入治具（図示せず）を用いて圧入する。すると、ハ状に形成されている舌片２４ｆの先端が角形突起２３ｃのＴ状の鍔部に係止されて抜け止めされる。
そして、筺体２３の丸突起２３ｈに弾性部材２４の丸孔２４ｇが挿入されて、前記丸突起２３ｈの先端をカシメ治具（図示せず）でカシメて、弾性部材２４を筺体２３の底板２３ｂに固定する。
次に、操作軸２１の摘み部２１ａを図示しない組立治具に直立状態で取り付ける。そして、この操作軸２１に、前記弾性部材２４を取り付けた筺体２３の軸受け部２２を挿入して、操作軸２１の嵌合部２１ｃに軸受け部２２の軸孔２２ａを嵌合させる。
【００２６】
次に、前記筺体２３の開放内部に位置している操作軸２１のスリ落とし部２１ｃに、摺動子片２６を取り付けた回転体２５の、小判形状の軸孔２５ｃを挿入する。そして、操作軸２１のスリ落とし部２１ｄの先端の段部２１ｆを、図１に示す矢印Ａ方向からカシメ治具（図示せず）でカシメ付けると、操作軸２１に回転体２５が抜け止めされて一体化される。そして、前記操作軸２１を回転させると、筺体２３の開放内部で回転体２５も一緒にガタなく回転する。
このとき、前記弾性部材２４のクリック用アーム部２４ｂの凸部２４ｊが回転体２５の凹凸部２５ｅに弾性付勢し、前記バネワッシャ２４ｄの回転トルク用湾曲部２４ｋが回転体２５の平坦部２５ｄに弾性付勢する。
一方、複数の端子２９が取り付けられた抵抗体基板２８を前記スペーサ２７の段部２７ｂに位置決めしてから、手作業で抵抗体基板２８を下方に押圧し、この抵抗体基板２８をスペーサ２７のフック部２７ｃに係止して仮止めして抵抗体基板２８とスペーサ２７とをユニット化する。そしてこのユニット化された抵抗体基板２８の抵抗体パターン２８ａを下面側にして、前記筺体２３の側壁２３ａのスペーサ取付突起２３ｅにスペーサ２７を仮止めし、スペーサ２７の段部２７ｆが回転体２５の円形部２５ａの上面外周寄りに当接する要に組み込む。
次に、前記回転体２５の上方からスペーサ２７をかぶせて、前記筺体２３の側壁２３ａのスペーサ取付突起２３ｅに仮止めすると、スペーサ２７の段部２７ｆが回転体２５の円形部２５ａの上面の外周寄りに当接する。
そして、複数の端子２９が取り付けられた抵抗体基板２８の抵抗体パターン２８ａを下面側にして、この抵抗体基板２８を前記スペーサ２７の段部２７ｂに位置決めしてから、手作業等で抵抗体基板２８を下方に押圧すると、抵抗体基板２８はスペーサ２７のフック部２７ｃに係止して仮止される。このとき、前記抵抗体パターン２８ａは前記回転体２５に取り付けられた摺動子片２６に弾接する。
【００２７】
次に、前記抵抗体基板２８を取り付けたスペーサ２７の上方から、取付板３０の４本の取付脚３０ａを、スペーサ２７の側面のガイド溝２７ｄおよび筺体２３の側面のガイド溝２３ｆに挿入すると、前記取付脚３０ａが前記それぞれのガイド溝２７ｄ・２３ｆに案内されて、前記筺体２３の底板２３ｂの前面から取付脚３０ａの先端が出っ張る。このとき、前記それぞれの取付脚３０ａは筺体２３のガイド溝２３ｆの途中に形成されている突起２３ｋにより、前記ガイド溝２３ｆから外方に広がらないようになっている。
そして、前記筺体２３の前面から出っ張った取付脚３０ａの先端を、図示しないカシメ治具を使って筺体２３の前面の段部２３ｇに折り曲げてカシメ付けると、前記スペーサ２７および抵抗体基板２８が筺体２３に固定され、且つ前記回転体当接部材であるスペーサ２７の段部２７ｆが、前記回転体２５の円形部２５ａの上面の外周寄りを当接して本発明の回転型電気部品の組立が終了する。
【００２８】
前述したような本発明の回転型電気部品は、筺体２３に取り付けた弾性部材２４のバネワッシャ２４ｄの回転トルク用湾曲部２４ｋを、前記軸受け部２２と回転体２５の平坦部２５ｄとの間に弾接挟持して、バネワッシャ２４と回転体２５の摩擦力、および回転体２５と段部２７ｆとの摩擦力により    操作軸２１に回転トルクを生じさせ、前記クリック用アーム部２４ｂの先端部の凸部２４ｊを、前記回転体２５の凹凸部２５ｅに係脱させて操作軸２１に所定のクリック感を生じさせることができる。
【００２９】
また、本発明の回転型電気部品は１つの弾性部材２４で、操作軸２１に回転トルクとクリック感とを生じさせることができる。
なを、本発明の実施の形態の説明では、回転型電気部品を可変抵抗器を例に説明したが、本発明は可変抵抗器に限定されるものではなく、回転型のスイッチ、あるいは磁気エンコーダ等にも適用できる。
【００３０】
【発明の効果】
本発発明の回転型電気部品は、弾性部材にはクリック用アーム部と回転トルク用湾曲部とを形成し、前記クリック用アーム部が回転体の凹凸部に弾性付勢し、前記回転トルク用湾曲部が回転体の平坦部に弾性付勢するので、１つの弾性部材でクリック感と回転トルクとを操作軸に生じさせることができ、部品点数が削減できて低コストの回転型電気部品を提供することができる。
また、本発明の回転型電気部品は、回転体の軸孔と操作軸のスリ落とし部とを嵌合させているので、前記軸孔とスリ落とし部とは接触面積が大きく取れ、回転体の軸孔と操作軸のスリ落とし部とにガタ等の発生がなく、所定の位置でクリック感を生じさせることができる。
【００３１】
また、前記回転体は、前記凹凸部よりも平坦部を突出させて形成したので、凹凸部と平坦部とに段差ができて、回転トルクを大きくしてもクリック感には影響しない高性能の回転型電気部品を提供することができる。
【００３２】
また、弾性部材は、回転体当接部材により当接されて、前記弾性部材の回転トルク用湾曲部を軸受け部に弾性付勢して操作軸に回転トルクを生じさせることができるので、大きな回転トルクを容易に得ることができる回転型電気部品を提供できる。
【図面の簡単な説明】
【図１】本発明の回転型電気部品の要部断面図。
【図２】本発明の回転型電気部品の筺体の正面図と側面図。
【図３】本発明と回転型電気部品の弾性部材の正面図と側面図。
【図４】本発明の回転型電気部品の回転体に摺動子片を取り付けた概略図。
【図５】本発明の回転型電気部品のスペーサの正面図と側面図。
【図６】本発明の回転型電気部品の分解斜視図。
【図７】従来の回転型電気部品の要部断面図。
【図８】従来の回転型電気部品の板バネの正面図。
【図９】従来の回転型電気部品の板バネの側面図。
【図１０】従来の回転型電気部品のバネワッシャの斜視図。
【図１１】従来の回転型電気部品の板バネと軸受けとの概略構成図。
【符号の説明】
１  操作軸
２    軸受
４    絶縁基板
４’絶縁基板
５    カバー
６  摺動子受け
７  摺動子
８  板バネ
９  抵抗体
１０  端子
１１  バネワッシャ
２１  操作軸
２２  軸受け部
２３  筺体
２４  弾性部材
２５  回転体
２６  摺動子片
２７  スペーサ
２８  抵抗体基板
２９  端子
３０  取付板
【図１】
0003549360.tif 000002
【図２】
0003549360.tif 000003
【図３】
0003549360.tif 000004
【図４】
0003549360.tif 000005
【図５】
0003549360.tif 000006
【図６】
0003549360.tif 000007
【図７】
0003549360.tif 000008
【図８】
0003549360.tif 000009
【図９】
0003549360.tif 000010
【図１０】
0003549360.tif 000011
【図１１】
0003549360.tif 000012